(57)【要約】【課題】前端面が開口した小型浴槽に、扉の機能を備えた入浴用車イスをドッキングさせて入浴が行われる車イス式入浴装置であって、小型浴槽であるにも拘わらずゆったりとした快適入浴を楽しむことが出来る、自力では入浴出来ない老人やお年寄りの為の車イス入浴装置を提供する。【解決手段】小型浴槽の本体はその前端面を傾斜して開口させ、他方車イスにはチルト手段とリクライニング手段を付設して、その背もたれを浴槽前端面の傾斜角と同じ角度チルトさせると同時に脚部と足受けはチルティング角度を超える角度リクライニングさせることにより、ゆったりとした長座位姿勢で入浴できるように構成した。【選択図】図1
2005342372.tif 000002
【特許請求の範囲】
【請求項１】
前端面を傾斜して開口した小型浴槽に、チルト手段とリクライニング手段を組み込んだ車イスを使って、入浴者をゆったりとした長座位の姿勢で入浴出来るように構成したことを特徴とする車イス入浴装置。
【請求項２】
前端面を傾斜して開口した小型浴槽において、アクチュエータの伸縮に応動して、直進動と直進および回転の複合動が付与されるフックを設け、該フックにより車イスの背もたれ両側端近くを、水密にクランプならびにアンクランプするようにした事を特徴とする車イス入浴装置における浴槽本体。
【請求項３】
アクチュエータの伸縮に応動して作動するフックは、その先端爪部が脱着可能としたことを特徴とする請求項２記載の浴槽本体。
【請求項４】
前端面を傾斜して開口した小型浴槽において、浴槽排水栓の開閉と車イスの予期せぬ進入および後退動を阻止する安全プレートの両者を、単一アクチュエータにより連動して駆動させることを特徴とする車イス入浴装置における浴槽本体。
【請求項５】
前端面を傾斜して開口した小型浴槽において、前方へ突出したガイドに進退可能な円弧板を設け、車イスが正規の入浴姿勢に変換されないままアプローチした時、上記円弧板と車イスの足受け部が当接して車イスの進入を阻止ならびに警告音を発するようにしたことを特徴とする車イス入浴装置における浴槽本体。
【発明の詳細な説明】
【技術分野】
【０００１】
この発明は、座位姿勢を保持できるものの自力では入浴出来ないお年寄りや肢体不自由者用の小型で快適入浴が楽しめる車イス入浴装置とその浴槽本体に関するものである。
【背景技術】
【０００２】
小型化を目指した車イス入浴装置の一例として実公平６−１２７９１号公報には、入浴者が着座する専用車イスに扉の機能を持たせ、この入浴専用車イスを側壁に開口部を設けた浴槽とドッキングさせることにより、浴槽開口部を閉塞して着座した椅座位の姿勢のまま入浴するようにしたものが開示されている。
【０００３】
更に、特願平８−２０１４３５号公報には、傾斜側壁に開口部を備えた浴槽本体に、前後にスライドする入浴者用の着座シートとキャスターを設け、この浴槽自体を移動させて固定扉とドッキングさせることにより、上述例と同様に着座した姿勢のまま入浴出来るようにしたものもある。
【０００４】
こうした従来例における入浴者の入浴姿勢は、いずれも着座した時の椅座位の姿勢であり、サイズ面では小型化されたものであるけれども、反面入浴者サイドにとっては、必ずしもゆったりとした快適な入浴感が得られなかった。更に、椅座位姿勢での入浴は、浴槽の水位が足裏から肩先辺りまで必要となるため、前後および左右寸法が短少化された割に高さ方向寸法が減少していないので、節湯効果が思ったほど期待できなかった。
【特許文献１】実公平６−１２７９１号
【特許文献２】特願平８−２０１４３５号
【発明の開示】
【発明が解決しようとする課題】
【０００５】
本発明は、上述した従来の小型車イス入浴装置における不具合を一挙に解消する新規且つ有用な車イス入浴装置とその浴槽本体を提供するものである。
【課題を解決するための手段】
【０００６】
請求項１記載の車イス入浴装置は、前端面を傾斜して開口した小型浴槽に、チルト手段とリクライニング手段を組み込んだ車イスを使って、入浴者をゆったりとした長座位の姿勢で入浴出来るように構成したことを特徴とする。
【０００７】
請求項２記載の車イス入浴装置における浴槽本体は、前端面を傾斜して開口した小型浴槽において、アクチュエータの伸縮に応動して、直進動と直進および回転の複合動が付与されるフックを設け、該フックより車イスの背もたれ両側端近くを水密にクランプならびにアンクランプするようにしたことを特徴とする。
【０００８】
請求項３記載の浴槽本体は、アクチュエータの伸縮に応動して作動するフックの先端爪部を着脱可能とした事を特徴とする。
【０００９】
請求項４記載の車イス入浴装置における浴槽本体は、前端面を傾斜して開口した小型浴槽において、浴槽排水栓の開閉と車イスの予期せぬ進入および後退動を阻止する安全プレートの両者を単一のアクチュエータにより連動して駆動させることを特徴とする。
【００１０】
請求項５記載の車イス入浴装置における浴槽本体は、前端面を傾斜して開口した小型浴槽において、前方へ突出したガイドに進退可能な円弧板を設け、車イスが正規な入浴姿勢に変換されないままアプローチした時、上記円弧板と車イスの足受け部が当接して車イスの進入を阻止ならびに警告音を発するようにしたことを特徴とする。
【発明の効果】
【００１１】
上記請求項１記載の車イス入浴装置によると、浴槽前端面を傾斜して開口した省スペース型の小型浴槽を採用しているにも拘わらず、上記傾斜開口面を閉塞する車イスは背もたれと座面がチルトし且つ脚部と足受けはチルト動作と連動してチルティング角度を上回るリクライニング動作が得られるため、入浴者はゆったりとした快適入浴が得られると同時に節湯効果が期待出来るものである。
【００１２】
請求項２による浴槽本体は、その左右の両フックが単一のアクチュエータによって駆動される方式なので、クランプおよびアンクランプ動作のタイミングにズレを生じないばかりか、均一なクランプ力が得られるので水漏れの恐れがない。
【００１３】
請求項３によると、クランプ用のフックは、その先端爪部が別体で脱着可能としたため、アクチュエータやその伝達部材等が故障又は破損しても、クランプ状態を容易に脱することが出来るので、入浴者が浴槽内に取り残されるような事故を防止する。
【００１４】
請求項４による浴槽本体は、浴槽排水栓の開閉と安全プレートの両者を単一のアクチュエータによって駆動させるようにしたため、コスト面で有利となるばかりか、安全プレートの存在により、車イスの思わぬ後退動に伴う事故を未然に防止することが出来る。
【００１５】
請求項５による浴槽本体は、車イスが正規の入浴姿勢に変換されないまま浴槽に向けてアプローチしてきた場合、ガイド前方に車イスの足受けと当接する円弧板を設置したため、介助者のうっかりミスは確実に防止出来る。
【発明を実施するための最良の形態】
【００１６】
以下、本発明の好ましい実施の形態を図面に基づいて説明する。先ず、本発明に係る車イス入浴装置は、浴室内の所定位置に固定される浴槽本体Ａと、入浴者を搭載して移動可能な入浴専用の車イスＢと、上記浴槽本体Ａと、近接した位置に設置される貯湯タンクＴ等から成る。
【００１７】
上記、浴槽本体Ａと車イスＢの構造上の特徴は、浴槽本体Ａの前端面が傾斜して開口し、該浴槽本体と車イスＢとが合体した際に浴槽本体Ａの傾斜開口部を水密に閉塞する手段が組み込まれていることと、車イスＢには背もたれＣ１と座面Ｃ２のチルティング動作に連動して脚部Ｃ３およびレッグレストＣ４が自動リクライニングする手段を具備している点にある。
【００１８】
上記浴槽本体Ａは、（図1乃至図１１参照）ステンレス製の角パイプ等の鋼材を適宜接合して形成されるメインフレーム１と、このメインフレームによって支持され、前壁を開口した主槽２と、そのカバー３Ａ，３Ｂ，３Ｃ等によって主要部分が構成されている。上記主槽２はＦＲＰ等の成型品で、その側壁４Ａ，４Ｂと夫々連接する前端面５は、垂直面に対し上縁側が下縁側に比し前方に位置するよう傾斜していて、その上縁は上面パネル６と下縁は底壁７と連接している。又、上記傾斜前端面５には、段部５’，５’が形成されると共に合成ゴム等の弾性体から成る連続したシール９が接着されている。このシール９は図３の右側面から見るとＵ字状に接着されているものである。
【００１９】
上記、主槽２の後壁８と、カバー３Ｃとの間にあって、底壁７より高所にアクチュエータ１０のエンド端が、上記メインフレーム１のブラケット１’に植設した軸１２に枢支されると共に該アクチュエータ１０の伸縮ロッド１１は、軸１３を支点として回動するリンク１４とピン１５を介して連結している。上記リンク１４の突出部分には、一方の側壁４Ａに沿って伸びるコネクティングロッド１６Ａの一端と連結ピン１７を介して結合されている。又、上記リンク１４の軸１３とピン１５の中心点を結ぶ線上の適所にピン結合したロッド１８は、その他端が軸１９を支点として回動するリンク２０とピン結合されている。このリンク２０の突出部には上記と同じく他方の側壁４Ｂに沿って伸びるコネクティングロッド１６Ｂの一端がピン２１を介して連結している。
【００２０】
上記、両コネクティングロッド１６Ａ，１６Ｂの他端は図６および図７に示す如く、各々メインフレーム１の適所に固定した固定ブラケット２２と段部２３Ａを持つ可動ブラケット２３内を摺動自在に挿通した一対のスライドバー２４，２４にピン２５によって結合している。上記固定ブラケット２２には、可動ブラケット２３の段部２３Ａと係合する係止部２６Ａを備えた固定ブロック２６が適宜取付けられている。又、上記両ブラケット２２，２３には、その中央部に設けた止まり穴２２Ｂ，２３Ｂをバネ座とする抗縮スプリング２７が配設され、該スプリングの弾撥力が常時附勢されている。又、上記スライドバー２４，２４の先端に取付けた金具２８には軸２９を支点として回動自在なフック３０が枢支されている。尚、このフック３０は、その先端爪部３０’がボルト締めされていて、該ボルトは、プラグＰを取り除いた作業穴からレンチを使って適宜脱着可能である。更に、上記可動ブラケット２３と一体の突出ブロック３１には、押し棒３２とバネ掛止片３３が取付けられていて、該押し棒３２はその先端面がフック３０の肩部３４と当接するよう設けられている。又、上記バネ掛止片３３は一端をフック３０に設けた掛止片３５に掛け止めした抗張スプリング３６の他端が掛け止めされている。
【００２１】
従って、前記アクチュエータ１０の伸縮ロッド１１が、伸長動作した実線示の状態にあっては、コネクティングロッド１６Ａ，１６Ｂが上述した各種伝達部材を介して図の左方へ引っ張られているため、フック３０は車イス背もたれＣ１における両側縁の適所をシール９に向けて強固にクランプしている。この結果、浴槽側の開口した前端面は水密に閉塞されるのである。斯る状態からアクチュエータ１０を縮少動させると、コネクティングロッド１６Ａ，１６Ｂは、図の右方に向けて移動する。この移動に伴ってスライドバー２４，２４は、固定ブラケット２２内を摺動して右動するのは勿論であるが、可動ブラケット２３も抗縮スプリング２７の蓄力を受けてスライドバー２４，２４の移動に追従して一体移動する。この結果、フック３０は金具２８と押し棒３２の両者により押圧されるため、実線示の姿勢を保ったまま直進移動することになる。更に、スライドバー２４，２４が移動して、可動ブラケット２３の段部２３Ａが固定ブロック２６の係止部２６Ａに当接すると、フック３０は金具２８のみの押圧となるため、直進動と抗張スプリング３６による軸２９周りの回転動の複合動が与えられ、最終的に二点鎖線示のようなアンクランプ状態となって停止するものである。
【００２２】
図８，９は、上記クランプ機構の他の実施例を示す平面図および正面図で、上記コネクティングロッド１６Ａ，１６Ｂは、ブラケット３７内を摺動自在に挿通した単一の摺動バー３８とピン２５により結合され、該摺動バーの他端にはフック３０がピン３９により枢支されている。又、このフック３０は、その肩部４０においても長穴４２を備えたスライドプレート４１の一端とピン４３により枢支されているものである。一方、上記ブラケット３７には、ボルト等によってブラケット片４４が固定されていて、該ブラケット片には上記スライドプレート４１と同様な長穴４５が穿設されている。そして、ブラケット片４４とスライドプレート４１の両者は、その長穴４２，４５間を緩く挿通する取付けピン４６を介して互いに摺動出来るよう重合設置されている。又、スライドプレート４１の左端には、固定ピン４７が設けられ、この固定ピン４７と上記取付けピン４６との間に抗縮スプリング４８が取付けられている。従って、図示実線示状態からアクチュエータ１０が縮小作動すると、摺動バー３８が右動し、これに伴ってスライドプレート４１も抗縮スプリング４８により右動するので、フック３０は直進移動する。そして、取付けピン４６が長穴４２，４５の右端に当接してその移動が阻止された後は、摺動バー３８のみの押圧となるので、フック３０は、上述例と同様に直進と回転の複合動が与えられ二点鎖線示のようなアンクランプ状態となって停止するものである。
【００２３】
従って、両実施例とも左右のフック３０は、単一のアクチュエータ１０により駆動されるので、両フック間のクランプおよびアンクランプの動作タイミングにズレを生じる恐れがないばかりか、均一なクランプ力が期待出来、水漏れ等の心配は不要である。
【００２４】
又、主槽２における底壁７の下面後方には、図１０に示す如く上述のアクチュエータとは別のアクチュエータ４９が装着されていて、該アクチュエータの伸縮ロッド端には、軸５０を支点として回動するリンク５１の一端がピン５２により連結されている。このリンク５１の他端は、連結バー５３の一端とピン５４によって連結され、該連結バー５３の他端は、枢軸５５を支点として回転するリンク５６の中央付近とピン５７を介して連結している。上記枢軸５５には上記リンク５６と別に、この軸を共通の支点として回転するレバー５８の一端が軸着されていて、該レバーの他端は、ガイド部材６０に案内されて上下方向に移動可能な軸体５９の下端と連結ピン６１を介して結合されている。又、上記軸体５９の上部は底壁７に設けた排水口６２に臨み、その先端には排水栓６３が取付けられている。上記排水口６２の下面には排水管６４が接続する排水受け６５が設けられると共に、排水口周りに水密を保つための適当な排水金具類が設置されている。
【００２５】
又、図１０及び図１１に示す如く上記枢軸５５を支点として回転するリンク５６の一端には、前方に傾斜して延びるリンク６６の一端がピン６７によって結合されると共に、該リンク６６の他端は後述するガイド７２と直接又は適当な取付片を介して、回転自在に取付けた回転軸６８に設けたブラケット６９とピン７０によって連結している。又、上記回転軸６８には一対の安全ストッパー用のプレート７１が装着されている。このプレート７１は、浴槽本体Ａに車イスＢがドッキングする際、正規のドッキング位置に車イスが到達しているか否かを検出するため、および車イスの思わぬ後退動を阻止するためのものである。
【００２６】
従って、アクチュエータ４９の伸縮ロッドが最伸長した実線示の状態から縮小動に移ると、リンク５１は軸５０を中心にして反時計方向に回転し、これに伴い連結バー５３を図の右方に移動する。この動きによってリンク５６は枢軸５５を支点として反時計方向へ回転するため、上記安全ストッパー用プレート７１を、その伝達部材であるリンク６６，ブラケット６９および回転軸６８を介して、直立した姿勢から破線示の如く横臥した姿勢へ移行させると同時に、排水栓６３をレバー５８及び軸体５９を介して上動させ、排水口６２の閉塞を開放させる。
【００２７】
主槽２における底壁７の下方から前方へ突出したガイド７２は、車イスＢが浴槽本体Ａとドッキングする際の案内機能を果すためのもので、図１１の如くこの前端弯曲部分に装着されたケース７３には、抗縮スプリング７４が収納されると共に該抗縮スプリングの蓄圧力を常時受圧するスライダー７５が摺動自在に設けられている。このスライダー７５の前方部分はケース７３から突出し、前端に円弧板７６が装着されている。この円弧板７６は入浴時において、車イスＢが浴槽本体Ａに向けてアプローチした際、車イスの姿勢が後述するような正規の入浴姿勢に変換がなされているか否かを検知するためのもので、もし変換されていない場合、レッグレストＣ４が円弧板７６と当接して車イスが浴槽本体にドッキング出来ないように構成されているものである。
【００２８】
更に主槽２における上面パネル６の後部には、操作パネル７７や給湯およびシャワー用ミキシングの操作摘み７８等が適宜配設されると共に、その下面即ち後壁８とそのカバー３Ｃとの間の空間に、上記ミキシングの本体部分７９やそれに接続する給湯・給水の配管類、および各種制御系部品並びに湯を貯湯タンクＴから浴槽本体Ａ内に導くか又は循環させるポンプ（図示せず）等が外部から見えないように任意適当に配設されている。尚、符号８０は浴槽本体Ａを浴室床面上に支承するマウントで、メインフレーム１の下面４ヶ所に取付けられる。又、同様のマウントが上記ガイド７２の前方下面にも取付けられている。
【００２９】
続いて、本発明に係る車イスＢについて図１及び図１２以降の実施例に基づいて説明する。車イスＢは、入浴者を搭載するシート部分Ｃとこのシート部分を支承し、キャスターＣＳによって走行可能な台車部分Ｄから、その主要部分が形成されている。上記シート部分Ｃにおける背もたれＣ１，座面Ｃ２，脚部Ｃ３には、各々独立してステンレス鋼材等によって作製された金属製のフレーム８１，８２，８３を有し、該フレームのうち背もたれフレーム８１と座面フレーム８２は、図示しないボルト等によって一体に組付けられるが、座面フレーム８２と脚部フレーム８３は、蝶番１００等によって、脚部フレーム独自で回転し得るよう構成されている。又、上記各フレームの上面にはＦＲＰ等で作製された樹脂成形板８４，８５，８６が組付けられ、更にその上には軟性樹脂等で成型されたマット８７，８８，８９がピン止め等の手段で敷設されている。尚、レッグレストＣ４は取付けバー９０を介して、脚部フレーム８３の取付けボス９１に開閉自在に装着される。台車部分Ｄに支承されるシート部分Ｃは、実際には背もたれフレーム８１の下方突出部分９２が台車フレーム９３と一体の突出部分９４に支軸９５を介して、回転自在に支持されているものである。
【００３０】
又、車イスＢには、上記支軸９５と脚部フレーム８３との間を複数のリンクＬ１〜Ｌ４により連接するリンク式の伝達機構Ｌを具備していて、このリンク伝達機構Ｌは、後述する如きシート部分Ｃのチルティング操作に伴う支軸９５の回転動を利用して、最終的に脚部Ｃ３が蝶番１００により回転動作するよう構成されている。即ち、図１５の如く椅座位の姿勢で車イスに着座した入浴者Ｍを介助者ｍによって、背もたれＣ１を介助者の身体側に向けて回転、即ち時計方向に図16の如く所定の角度α°傾斜させれば、背もたれＣ１と座面Ｃ２は一体となって角度α°だけチルトし、他方脚部Ｃ３とレッグレストＣ４には上記リンク伝達機構Ｌにより、チルトとは別に同じ時計方向へ角度θ°回転させられるので（図１７参照）、結局脚部Ｃ３とレッグレストＣ４は、元の状態からα°プラスθ°の角度リクライニングし、この結果、入浴者Ｍは着座した時の椅座位の姿勢からゆったりとした図１及び図１６の如き長座位の姿勢へ自動変換されるのである。尚、上記チルト角α°は、浴槽前端面５の傾斜角と同一となるよう予め設計されている。尚、図中符号９６は前述したガイド７２に沿って転動するローラー、９７は枕、９８は介助者ｍ用の把手、９９は入浴者Ｍ用の安全手摺を各々示す。
【００３１】
次に、上述のように構成された本装置の入浴準備から出浴に至るまでの動作および使用状態について説明する。先ず、脱衣所等で待機している入浴者Ｍを介助者ｍの介助のもと車イスＢに着座させて浴室内へ移動させる。浴室内ではシャワー等によって洗体した後、シート部分Ｃをチルトして入浴者Ｍの姿勢を椅座位から長座位の入浴姿勢へ変換する。この際、脚部Ｃ３とレッグレストＣ４は、前述したようにリンク伝達機構Ｌによる回転動とチルト動作を加えたリクライニング動作が付加されるため、入浴者Ｍはゆったりとした入浴姿勢が得られる。一方浴槽本体Ａは、次のような状態にて待機している。即ちアクチュエータ１０と４９は、その伸縮ロッドが最縮小した状態で待機している。従って、一方のアクチュエータ４９と関連動作する排水栓６３は、排水口６２を開放し、安全用のプレート７１は横臥して、車イスの進入を可能としている。他方アクチュエータ１０と関連動作するフック３０は、外方に向けて開動したアンクランプ状態に置かれており、車イス進入時の邪魔にならない位置へ逃げている。
【００３２】
斯かる状態から車イスＢを浴槽本体Ａへ向けてアプローチし、入浴者Ｍの足先から本体内へ進入させる。この際、車イスＢはそのローラー９６がガイド７２に案内されながら進入するので、誰にでも安全で確実な作業が期待出来るばかりでなく、仮に車イスＢの姿勢を変換させないままアプローチした時は、レッグレストＣ４の先端が円弧板７６に当接するよう構成されているため、円弧板７６の移動によりセンサー１０１が感知して警告音が発せられ、うっかり事故を未然に防止する。更に、誤ってアクチュエータ４９が伸長動作した状態のままで車イスＢを進入させようとした場合は、起立している安全用のプレート７１によって進入阻止が図られるため、衝突等の事故は未然に防止されるものである。
【００３３】
そして、背もたれＣ１が浴槽前端面５の段部５’に接着したシール９と接触する所定のドッキング位置へ達したならば、操作パネル７７のスイッチを押圧して、両アクチュエータ１０，４９を伸長動させる。これによって、背もたれＣ１はフック３０を介してシール９に強固に圧接されて浴槽開口部を水密に閉塞し、同時に安全プレート７１の起立と排水口６２を閉塞して車イスＢと浴槽本体Ａのドッキングが完了する。ドッキングが完了した後は、貯湯タンクＴに予め貯えられた湯を、ポンプ等を介して浴槽内の所定水位に達するまで給湯して入浴が行われるものである。尚、こうした入浴中にあって、万が一クランプ機構のフック３０やその関連材等が破損したとしても、プレート７１の存在により、車イスＢが槽内湯の圧力で急速に後退動してしまうような危険な動きを防いでいる。入浴が終了し、出浴させるには、初めにアクチュエータ４９を縮小作動させ、安全プレート７１を横臥して退路を確保すると共に排水口６２を開放して湯を外部へ排出するか貯湯タンクＴへ戻す。浴槽内に湯がなくなった時点で、他方のアクチュエータ１０を縮小駆動させ、フック３０による車イスＢのクランプを開放して、車イスＢを所定位置まで後退移動させる。尚、この際アクチュエータ１０等の故障でフック３０がアンクランプ作動をしないときは、その先端爪部３０’を取り外せば、入浴者が浴槽内に取り残させることはない。次いで、入浴者Ｍの身体をタオルで拭いて姿勢を元の椅座位の姿勢へ戻せば１サイクルの入浴動作が完了する。
【００３４】
以上、要するに本発明によれば、浴槽前端面を傾斜して開口させた少スペース型の小型浴槽であるにも拘わらず、上記開口部の閉塞扉の機能を備えた車イスはその背もたれと座面が所定角度チルティングし、脚部とレッグレストはチルト動作に連動して、チルティング角度を上回るリクライニング動作が自動的に行われるため、入浴者はゆったりと姿勢のもと快適入浴が得られるばかりでなく、節湯効果も期待出来る等のメリットと、浴槽本体には多くの安全対策が施され、安心して入浴を楽しむことが出来るものである。
【図面の簡単な説明】
【００３５】
【図１】本発明の入浴状態を示す概略の側面図である。
【図２】本発明の浴槽本体を示す側面図である。
【図３】本発明の浴槽本体と貯湯タンクを示す平面図である。
【図４】本発明の浴槽本体の後部を示す縦断側面図である。
【図５】本発明の浴槽本体の後部を示す横断平面図である。
【図６】本発明の浴槽本体に設けられるクランプ機構を示す要部の側面図である。
【図７】本発明の浴槽本体に設けられるクランプ機構を示す要部の平面図である。
【図８】本発明の浴槽本体に設けられるクランプ機構の他の実施例を示す要部の側面図である。
【図９】本発明の浴槽本体に設けられるクランプ機構の他の実施例を示す要部の平面図である。
【図１０】本発明の浴槽本体に設けられる排水栓と安全プレートの作動機構を示す要部の側面図である。
【図１１】本発明の浴槽本体に設けられる円弧板の作動状態を示す平面図である。
【図１２】本発明の車イスを示す側面図である。
【図１３】本発明の車イスを示す平面図である。
【図１４】本発明の車イスの台車部分を示す平面図である。
【図１５】本発明の車イスの使用状態を示す側面図である。
【図１６】本発明の車イスの入浴姿勢を示す側面図である。
【図１７】本発明の車イスの脚部および足受け部の作動状態を示す側面図である。
【符号の説明】
【００３６】
１                  メインフレーム
２                  主槽
３Ａ，３Ｂ，３Ｃ    カバー
４Ａ，４Ｂ          側壁
５                  前端面
６                  上面パネル
７                  底壁
８                  後壁
９                  シール
１０，４９          アクチュエータ
１６Ａ，１６Ｂ      コネクティングロッド
３０                フック
３０’              先端爪部
６２                排水口
６３                排水栓
７１                安全プレート
７２                ガイド
７６                円弧板
８１，８２，８３    フレーム
８４，８５，８６    成型板
８７，８８，８９    マット
９３                台車フレーム
９５                支軸
１００              蝶番
１０１              センサ
Ａ                  浴槽本体
Ｂ                  車イス
Ｃ                  シート部分
Ｃ１                背もたれ
Ｃ２                座面
Ｃ３                脚部
Ｃ４                足受け
Ｄ                  台車部分
Ｌ                  リンク伝達機構
Ｍ                  入浴者
ｍ                  介助者
【図１】
2005342372.tif 000003
【図２】
2005342372.tif 000004
【図３】
2005342372.tif 000005
【図４】
2005342372.tif 000006
【図５】
2005342372.tif 000007
【図６】
2005342372.tif 000008
【図７】
2005342372.tif 000009
【図８】
2005342372.tif 000010
【図９】
2005342372.tif 000011
【図１０】
2005342372.tif 000012
【図１１】
2005342372.tif 000013
【図１２】
2005342372.tif 000014
【図１３】
2005342372.tif 000015
【図１４】
2005342372.tif 000016
【図１５】
2005342372.tif 000017
【図１６】
2005342372.tif 000018
【図１７】
2005342372.tif 000019